(57)【要約】【課題】ネット椅子の座や背もたれに使用するネットにおいて、クッション性と身体フィット性とを向上させる。【手段】ネット５，６　は緯糸１２の群と経糸１３の群とからなっており、２本の緯糸１２の組で２本のずつの経糸１３を交互に抱き込んでいる。ａの組の緯糸１２では奇数番を頭とした２本の経糸１３を抱き込み、隣のｂ組の緯糸１２では、偶数番を頭にした２本の経糸１３を抱き込むというように、緯糸１２の組による経糸１３の抱き込み状態を順次ずらしている。各経糸１３は蛇行した状態で緯糸１２の組に抱き込まれるため、各経糸１３の実際の長さは見かけの長さよりも長くなり、その結果、ネットの伸縮性が高まる。【選択図】　　　図７
2004033283.tif 000002
【特許請求の範囲】
【請求項１】
縦横に規則正しく並べた状態で交差して延びる多数の経糸群と緯糸群とからなっており、緯糸群は一対で一組になっており、この一組の緯糸を、経糸群に対して、複数飛びの状態でかつ一方の緯糸と他方の緯糸とが表裏互いに逆になる状態で交互にくぐらせることにより、一組の緯糸によって複数本ずつの経糸を順次抱き込む状態になっているネットであって、
隣り合った緯糸の組による経糸の抱き込み状態を、緯糸の長手方向に沿ってずらしている、
椅子等の身体支持装置に使用するネット。
【請求項２】
前記経糸群は、伸びが殆ど無いマルチフィラメントの縒り糸から成っている一方、緯糸群は、エラストマー系モノフィラメントよりなる弾性糸から成っている、
請求項１に記載した椅子等の身体支持装置に使用するネット。
【請求項３】
環状のフレームを備えており、このフレームに請求項１又は請求項２に記載したネットを張っている、
椅子等の身体支持装置。
【発明の詳細な説明】
【０００１】
【発明の属する技術分野】
本発明は、椅子のような身体支持装置並びにこれに使用するネットに関するものである。
【０００２】
【従来の技術・発明が解決しようとする課題】
椅子の一形態として、座体や背もたれを、略四角形等のフレームにネット（或いはネット状シート）を張った構造にしたものがある。このタイプの椅子は一般にネット椅子（或いはネットチェア）と呼ばれており、通気性に優れると共に、クッション性に富んでいる利点がある。
【０００３】
このネット椅子に使用されるネットは、一般に経糸群と緯糸群とを絡ませた織地が使用されており、少なくとも一方の糸群に弾性糸を使用することにより、クッション性と身体へのフィット性を図っている。
【０００４】
そして、クッション性やフィット性、或いは強度を向上させるため、素材や織り方に様々の工夫が施されているが、従来技術は、伸縮性が十分でないなど、改良の余地が存在している。
【０００５】
本発明は、このような現状を改善することを目的とするものである。
【０００６】
【課題を解決するための手段】
本発明のネットは、縦横に規則正しく並べた状態で交差して延びる多数の経糸群と緯糸群とからなっており、緯糸群は一対で一組になっており、この一組の緯糸を、経糸群に対して、複数飛びの状態でかつ一方の緯糸と他方の緯糸とが表裏互いに逆になる状態で交互にくぐらせることにより、一組の緯糸によって複数本ずつの経糸を順次抱き込む状態になっている。そして、隣り合った緯糸の組による経糸の抱き込み状態を、緯糸の長手方向に沿ってずらしている。
【０００７】
経糸群と緯糸群との具体的な構造や素材は様々に選定できるが、請求項２の発明では、前記経糸群は、伸びが殆ど無いマルチフィラメントの縒り糸から成っている一方、緯糸群は、エラストマー系モノフィラメントよりなる弾性糸から成っている。
【０００８】
本発明は椅子等の身体支持装置も含んでいる。この身体支持装置は環状のフレームを備えており、このフレームに請求項１又は請求項２に記載したネットを張っている。
【０００９】
【発明の作用・効果】
一組の緯糸によって複数本ずつの経糸を抱き込む状態で織ると、複数本ずつの経糸は緯糸の組に抱き込まれて互いに接近し勝手になる。この場合、例えばネットの端から１本目と２本目、３本目と４本目の経糸をそれぞれ各緯糸の組で抱き込むというような単純な織り方の場合は、各経糸は殆ど真っ直ぐに延びる状態になる。
【００１０】
他方、本発明によると、例えば、２本ずつの経糸を緯糸の組で抱き込む場合であると、ネットから１番目と２番目の経糸は１組目の経糸の対で抱き込まれ、２番目と３番目の経糸は２組目の緯糸の組で抱き込まれるというように、緯糸の組による経糸群の抱き込み状態が緯糸の長手方向に沿ってずれているため、各経糸は、隣り合った緯糸の組に行くごとに抱き込みの中心位置が異なり、その結果、各経糸はその長手方向に蛇行しながら、各緯糸の組で抱き込まれていくことになる。
【００１１】
従って、経糸の実際の長さは単純な織り方の場合よりも長くなり、その結果、ネットは、経糸の長手方向の伸縮性を向上させることができ、ひいては、請求項３のように椅子等に使用した場合に、身体に対するクッション性やフィット性を向上させることができるのである。また、単位長さ当たりの負荷を低減できるため、耐久性を向上させることも可能になる。
【００１２】
請求項２のように構成すると、経糸群に主として荷重の支持機能を保持せしめて、緯糸に伸縮機能を保持せしめた場合において、経糸群にも適度の弾性を付与することができるため、強靱さとクッション性・フィット性とに優れていて特に好適である。
【００１３】
【発明の実施形態】
次に、本発明の実施形態を図面に基づいて説明する。
【００１４】
（１）．椅子の概要（図１〜図４）
本実施形態は椅子に適用しており、まず、椅子の概要を図１〜図４に基づいて説明する。図１は、座１と背もたれ２とを備えた椅子の斜視図、図２は座１の平面図、図３は座用フレーム３の正面図、図４は図２のＩＶ−ＩＶ視断面図である。
【００１５】
座１及び背もたれ２とも、それぞれ環状のフレーム３，４にネット５，６を張った構造になっている。図２の正面図に示すように、座用フレーム３は、その前部が低く後部が高くなるように立体的に曲がっている。これは、着座した人の臀部や大腿部の形状にフィットさせるためである。
【００１６】
図４に示すように、座用ネット５の周縁は座用フレーム３に形成された段部７に溶着されると共に（溶着箇所を符号８で示す）、弾性を有する接着性樹脂９によって接着されている。座用フレーム３はベース１０にビス１１で固定されている。また、両フレーム３，４の外周には軟質合成樹脂製のエッジ１４を装着している。
【００１７】
座用ネット５は、椅子の正面視で左右方向に延びる緯糸１２の群と椅子の正面で前後方向（或いは上下方向）に延びる経糸１３の群とを絡ませた織地からなっている。この点は後述する。
【００１８】
本実施形態では、座用ネット５においては、前部５ａから後部５ｄに向けて、横糸１２の密度を「大→小→大→小」の順に異ならせている。これは、座用ネット５の前部５ａが沈み変形して座用フレーム３の前端部で人の大腿部が突き上げられる現象を防止すると共に、臀部が当たる部分が過度に沈み込むことを防止するためである。なお、緯糸１２の群と経糸１３の群との交叉部を溶着しても良い。
【００１９】
（２）．ネットの構造（図５〜図７）
図５〜図７でネットの構造を示している。図５は織り方を立体的に表示した図、図６は平面的に表示した図、図７は模式的な説明図である。
【００２０】
本実施形態では、長く連続する経糸１３はウレタン糸を含むマルチフィラメントによりかけたスパンデックスが使用されており、緯糸１２はエラストマーよりなるモノフィラメントを使用している。両者とも長手方向に若干は伸びる（弾性変形する）が、単位荷重当たりの弾性変形量（伸び変形量）は経糸１３よりも緯糸１２の方が大きく、経糸１３の変形はごく僅かである。なお、身体への優しさの点からは、緯糸１２は例えば断面楕円形や帯状が好ましい。
【００２１】
そして、経糸１３と緯糸１２とを絡ませるにおいて、２本ずつの緯糸１２によって２本ずつの経糸１３を交互に抱き込んだ状態になっているが、この場合、一組ずつの緯糸１２による経糸１３の組の抱き込み状態を順次ずらしている。
【００２２】
すなわち、図６の符号を引用して説明すると、ａの組の緯糸１２では、１と２の経糸１３、３と４の経糸１３、５と６の経糸というように奇数番を頭とした２本の経糸１３を抱き込み、隣に位置したｂ組の緯糸１２では、２と３の経糸、４と５の経糸、と言うように偶数を頭にした２本の経糸１３を抱き込む、というように、２本ずつの緯糸１２による２本ずつの経糸１３の抱き込み状態を、交互にずらしているのである。
【００２３】
緯糸１２の組による抱き込み作用により、２本ずつの経糸１３は互いに接近するような押圧作用を受けるが、緯糸１２の組による抱き込み状態が緯糸１２の長手方向に沿って順次ずれているため、２本ずつの経糸１３に対する押圧作用の方向が順次変わることになり、その結果、図７に模式的に示すように、各経糸１３はその長手方向に蛇行する状態を呈することになる。従って、織地の長さＬよりも実際の経糸１３の長さは長くなる。
【００２４】
その結果、経糸１３の大きな伸びが許容されるため、ネット５，６は全体として伸びの許容範囲が高まって、クッション性とフィット性とを向上させることができるのである。
【００２５】
このようにクッション性を効かした状態で荷重が強くかかる部分は伸びにくくできるため、的確なフイット性を確保することができる。
【００２６】
なお、本実施形態では、椅子の正面視で左右方向に延びる糸を緯糸として表示したが、織地における通常の意味での経糸（縦糸）と緯糸（横糸）と実際の物品の縦方向と横方向とは直接には関係ないのであり、従って、例えば椅子の座に適用する場合、経糸が左右方向に伸びて緯糸が前後方向に伸びる姿勢にしても良いのである。
【００２７】
（２）．その他
上記の実施形態は２本ずつの経糸１３を緯糸１２の組で抱き込んでいたが、図８に示すように、３本ずつ（或いは３本以上）の経糸１３を抱き込む構造にしても良い。また、図９（Ａ）に示すように、緯糸１２の対を互いに絡ませた状態にしたり、図９（Ｂ）に示すように、緯糸１２の対を互いに捩じり合わせた状態にしても良く、このようにすると、ネットの保形機能を向上できる。
【００２８】
また、経糸及び緯糸の構造や素材は必要に応じて適宜設定することができる。例えば、実施形態の場合、緯糸として縒り糸や縒っていないマルチフィラメントを使用することなども可能である。また、各糸しとしてフラットヤーンなどを使用しても良い。
【００２９】
更に、本発明は椅子だけでなく、ベッドや担架のような他の身体支持装置にも適用することができる。
【図面の簡単な説明】
【図１】第１実施形態に係る椅子の座体の斜視図である。
【図２】座の一部破断平面図である。
【図３】座用フレームの正面図である。
【図４】図２のＩＶ−ＩＶ視分離断面図である。
【図５】ネットの織り方を立体的に示した図である。
【図６】ネットの平面図である。
【図７】の糸の状態を示す概略図である。
【図８】他の実施形態を示す図である。
【図９】更に他の実施形態を示す図である。
【符号の説明】
１　座
２　背もたれ
３　座用フレーム
４　背もたれ用フレーム
５　座用ネット
６　背もたれ用ネット
１２　緯糸
１３　経糸
【図１】
2004033283.tif 000003
【図２】
2004033283.tif 000004
【図３】
2004033283.tif 000005
【図４】
2004033283.tif 000006
【図５】
2004033283.tif 000007
【図６】
2004033283.tif 000008
【図７】
2004033283.tif 000009
【図８】
2004033283.tif 000010
【図９】
2004033283.tif 000011